(57)【特許請求の範囲】
【請求項１】
面談の対象となる面談対象者が利用する面談対象者端末と通信可能に接続され、前記面談対象者のうち面談を希望する面談希望者と、前記面談対象者のうち面談を受諾する面談受諾者との面談を支援する面談支援装置であって、
企業の属性を示す企業情報を記憶する企業情報記憶手段と、
前記面談対象者の属性を示す面談対象者情報を、当該面談対象者の属する企業の前記企業情報と対応づけて記憶する面談対象者情報記憶手段と、
前記面談対象者が所有する価値を示す価値情報を記憶する価値情報記憶手段と、
前記面談希望者の前記面談対象者端末から当該面談希望者が希望する企業の条件を入力する希望条件入力手段と、
前記企業情報記憶手段の企業情報に基づいて、前記希望条件入力手段で入力した希望に適合する企業を検索する企業検索手段と、
前記企業検索手段で検索された企業のなかから１または複数の企業を前記面談希望者の前記面談対象者端末に選択させる企業選択手段と、
前記面談対象者情報記憶手段の面談対象者情報に基づいて、前記企業選択手段で選択された企業に属する前記面談対象者の前記面談対象者端末に面談依頼を行う面談依頼手段と、
前記面談依頼を受けた前記面談対象者端末から面談受諾を入力する面談受諾入力手段と、
前記面談受諾入力手段で入力した面談受諾を得た前記面談希望者と、当該面談受諾を行った前記面談受諾者との面談の機会を設定する面談機会設定手段と、
前記面談対象者が面談依頼を行った場合、前記面談対象者が面談受諾を得た場合、または前記面談対象者が依頼した面談の機会が設定された場合は、当該面談対象者が所有する価値が減少するように前記価値情報記憶手段の価値情報を更新する価値減少手段と、
前記面談対象者が面談依頼を受けた場合、前記面談対象者が面談受諾を行った場合、または前記面談対象者が受諾した面談の機会が設定された場合は、当該面談対象者が所有する価値が増加するように前記価値情報記憶手段の価値情報を更新する価値増加手段とを備えることを特徴とする面談支援装置。
【請求項２】
請求項１において、
前記企業情報記憶手段は、前記面談対象者情報記憶手段に前記面談対象者情報が記憶されている面談対象者が属する企業以外の企業の前記企業情報をも記憶し、
前記企業選択手段で選択された企業に属する前記面談対象者の前記面談対象者情報が前記面談対象者情報記憶手段に記憶されていない場合は、当該面談対象者への面談依頼を保留する面談依頼保留手段と、
前記面談依頼保留手段で面談依頼が保留されている面談対象者の前記面談対象者情報が前記面談対象者情報記憶手段に記憶された場合は、当該面談対象者の前記面談対象者端末に面談依頼を行う第２面談依頼手段とを備えることを特徴とする面談支援装置。
【請求項３】
請求項１および２のいずれか１項において、
前記面談対象者として登録を希望する登録希望者が利用する登録希望者端末と通信可能に接続され、
前記企業情報は、企業の名称およびドメインを含み、
前記登録希望者端末から企業の名称の一部または全部を入力する名称入力手段と、
前記登録希望者端末から企業のドメインの一部または全部を入力するドメイン入力手段と、
前記企業情報記憶手段の企業情報に基づいて、前記名称入力手段で入力した名称および前記ドメイン入力手段で入力したドメインに適合する企業を検索する第２企業検索手段と、
前記第２企業検索手段で検索された企業のなかからいずれかを前記登録希望者端末に選択させる第２企業選択手段と、
前記登録希望者端末から前記面談対象者情報を入力する面談対象者情報入力手段と、
前記面談対象者情報入力手段で入力した面談対象者情報を、前記第２企業選択手段で選択された企業の前記企業情報と対応づけて前記面談対象者情報記憶手段に登録する面談対象者情報登録手段とを備えることを特徴とする面談支援装置。
【請求項４】
請求項１ないし３のいずれか１項において、
前記面談受諾入力手段で入力した面談受諾を行った前記面談受諾者が属する企業と、同一の面談依頼について前記面談受諾入力手段でそれよりも前に入力した面談受諾を行った前記面談受諾者が属する企業とが同一である場合は、当該面談受諾者の一方若しくは両方、または当該面談依頼を行った前記面談希望者の前記面談対象者端末に所定の通知を行う通知手段を備えることを特徴とする面談支援装置。
【請求項５】
請求項１ないし４のいずれか１項において、
前記面談希望者または前記面談受諾者の前記面談対象者端末から面談の相手方である前記面談対象者の評価を入力する評価入力手段と、
前記評価入力手段で入力した評価が所定の面談可能条件を満たさない場合は、当該評価を受けた前記面談対象者との面談の機会を設定することを抑制する面談機会設定抑制手段とを備えることを特徴とする面談支援装置。
【請求項６】
面談の対象となる面談対象者が利用する面談対象者端末と通信可能に接続されるコンピュータに対し、前記面談対象者のうち面談を希望する面談希望者と、前記面談対象者のうち面談を受諾する面談受諾者との面談を支援する処理を実行させるための面談支援プログラムであって、
前記面談希望者の前記面談対象者端末から当該面談希望者が希望する企業の条件を入力する希望条件入力ステップと、
企業の属性を示す企業情報を記憶する企業情報記憶手段の企業情報に基づいて、前記希望条件入力ステップで入力した希望に適合する企業を検索する企業検索ステップと、
前記企業検索ステップで検索された企業のなかから１または複数の企業を前記面談希望者の前記面談対象者端末に選択させる企業選択ステップと、
前記面談対象者の属性を示す面談対象者情報を、当該面談対象者の属する企業の前記企業情報と対応づけて記憶する面談対象者情報記憶手段の面談対象者情報に基づいて、前記企業選択ステップで選択された企業に属する前記面談対象者の前記面談対象者端末に面談依頼を行う面談依頼ステップと、
前記面談依頼を受けた前記面談対象者端末から面談受諾を入力する面談受諾入力ステップと、
前記面談受諾入力ステップで入力した面談受諾を得た前記面談希望者と、当該面談受諾を行った前記面談受諾者との面談の機会を設定する面談機会設定ステップと、
前記面談対象者が面談依頼を行った場合、前記面談対象者が面談受諾を得た場合、または前記面談対象者が依頼した面談の機会が設定された場合は、当該面談対象者が所有する価値が減少するように、前記面談対象者が所有する価値を示す価値情報を記憶する価値情報記憶手段の価値情報を更新する価値減少ステップと、
前記面談対象者が面談依頼を受けた場合、前記面談対象者が面談受諾を行った場合、または前記面談対象者が受諾した面談の機会が設定された場合は、当該面談対象者が所有する価値が増加するように前記価値情報記憶手段の価値情報を更新する価値増加ステップとを含む処理を実行させるためのプログラムであることを特徴とする面談支援プログラム。
【請求項７】
面談の対象となる面談対象者が利用する面談対象者端末と、請求項１記載の面談支援装置とを通信可能に接続し、前記面談対象者のうち面談を希望する面談希望者と、前記面談対象者のうち面談を受諾する面談受諾者との面談を支援する面談支援方法であって、
前記面談支援装置においては、
前記希望条件入力手段が、前記面談希望者の前記面談対象者端末から当該面談希望者が希望する企業の条件を入力する希望条件入力ステップと、
前記企業検索手段が、企業の属性を示す企業情報を記憶する企業情報記憶手段の企業情報に基づいて、前記希望条件入力ステップで入力した希望に適合する企業を検索する企業検索ステップと、
前記企業選択手段が、前記企業検索ステップで検索された企業のなかから１または複数の企業を前記面談希望者の前記面談対象者端末に選択させる企業選択ステップと、
前記面談依頼手段が、前記面談対象者の属性を示す面談対象者情報を、当該面談対象者の属する企業の前記企業情報と対応づけて記憶する面談対象者情報記憶手段の面談対象者情報に基づいて、前記企業選択ステップで選択された企業に属する前記面談対象者の前記面談対象者端末に面談依頼を行う面談依頼ステップと、
前記面談受諾入力手段が、前記面談依頼を受けた前記面談対象者端末から面談受諾を入力する面談受諾入力ステップと、
前記面談機会設定手段が、前記面談受諾入力ステップで入力した面談受諾を得た前記面談希望者と、当該面談受諾を行った前記面談受諾者との面談の機会を設定する面談機会設定ステップと、
前記価値減少手段が、前記面談対象者が面談依頼を行った場合、前記面談対象者が面談受諾を得た場合、または前記面談対象者が依頼した面談の機会が設定された場合は、当該面談対象者が所有する価値が減少するように、前記面談対象者が所有する価値を示す価値情報を記憶する価値情報記憶手段の価値情報を更新する価値減少ステップと、
前記価値増加手段が、前記面談対象者が面談依頼を受けた場合、前記面談対象者が面談受諾を行った場合、または前記面談対象者が受諾した面談の機会が設定された場合は、当該面談対象者が所有する価値が増加するように前記価値情報記憶手段の価値情報を更新する価値増加ステップとを含むことを特徴とする面談支援方法。
【発明の詳細な説明】
【技術分野】
【０００１】
本発明は、面談希望者と面談受諾者との面談を支援する装置およびプログラム、並びに方法に係り、特に、他者との面談の機会を向上するのに好適な面談支援装置および面談支援プログラム、並びに面談支援方法に関する。
【背景技術】
【０００２】
従来、企業間の商取引を支援する技術としては、例えば、特許文献１記載の電子商取引システムが知られている。
【０００３】
特許文献１記載の技術は、各ユーザ企業に関する情報を、固有のコードに対応づけて蓄積する企業情報データベースと、ユーザ企業のパソコンから、他のユーザ企業に宛てた商談メッセージが送信された場合に、これを宛先企業のパソコンに転送する手段と、ユーザ企業のパソコンから、他のユーザ企業に関する信用情報の閲覧要求が送信された場合に、企業情報データベースを検索し、該当する企業の信用情報をパソコンに送信する手段と、ユーザ企業のパソコンから、他のユーザ企業との間における商取引の経過を報告する情報が送信された場合に、これを各ユーザ企業のコードに対応づけ、企業情報データベース内に信用情報の一部として登録する手段を備える。
【先行技術文献】
【特許文献】
【０００４】
【特許文献１】特開２００２−２４５２８４号公報
【発明の概要】
【発明が解決しようとする課題】
【０００５】
ところで、企業の営業担当者は、新規顧客を開拓するために、取引候補となる他の企業の窓口担当者に対して電話等によりアポイントメントをとり、後日その窓口担当者と面談することにより、商取引に結びつけることを営業活動として行っている。一方で、企業においては、他の企業からの営業に逐一対応することの煩雑さから一律に営業を忌避する傾向もまた少なからず見られる。このように、営業をしたい企業は一定数存在するが、営業を受けたい企業が少ない状況では、商取引を成立させる機会が自ずと少なくなってしまい、業界全体として損失につながるという問題がある。
【０００６】
特許文献１記載の技術にあっても、ユーザ企業のパソコンから他のユーザ企業に商談メッセージが送信された場合に、これを一律に忌避してしまえば、商取引の機会が失われるので、上記同様の問題が生じる。
【０００７】
なお、この問題は、商取引の場合に限らず、ある目的で他者と面談したい場合について広く想定される。
【０００８】
そこで、本発明は、このような従来の技術の有する未解決の課題に着目してなされたものであって、他者との面談の機会を向上するのに好適な面談支援装置および面談支援プログラム、並びに面談支援方法を提供することを目的としている。
【課題を解決するための手段】
【０００９】
〔発明１〕  上記目的を達成するために、発明１の面談支援装置は、面談の対象となる面談対象者が利用する面談対象者端末と通信可能に接続され、前記面談対象者のうち面談を希望する面談希望者と、前記面談対象者のうち面談を受諾する面談受諾者との面談を支援する面談支援装置であって、前記面談対象者の属性を示す面談対象者情報を記憶する面談対象者情報記憶手段と、前記面談対象者が所有する価値を示す価値情報を記憶する価値情報記憶手段と、前記面談希望者の前記面談対象者端末からの要求に応じて、当該面談希望者が面談を希望する前記面談対象者を特定する面談対象者特定手段と、前記面談対象者情報記憶手段の面談対象者情報に基づいて、前記面談対象者特定手段で特定した面談対象者の前記面談対象者端末に面談依頼を行う面談依頼手段と、前記面談依頼を受けた前記面談対象者端末から面談受諾を入力する面談受諾入力手段と、前記面談受諾入力手段で入力した面談受諾を得た前記面談希望者と、当該面談受諾を行った前記面談受諾者との面談の機会を設定する面談機会設定手段と、前記面談対象者が面談依頼を行った場合、前記面談対象者が面談受諾を得た場合、または前記面談対象者が依頼した面談の機会が設定された場合は、当該面談対象者が所有する価値が減少するように前記価値情報記憶手段の価値情報を更新する価値減少手段と、前記面談対象者が面談依頼を受けた場合、前記面談対象者が面談受諾を行った場合、または前記面談対象者が受諾した面談の機会が設定された場合は、当該面談対象者が所有する価値が増加するように前記価値情報記憶手段の価値情報を更新する価値増加手段とを備える。
【００１０】
このような構成であれば、面談を希望する場合、面談希望者の面談対象者端末では、面談支援装置に対して要求を行う。
【００１１】
面談支援装置では、面談対象者端末からの要求に応じて、面談対象者特定手段により、面談希望者が面談を希望する面談対象者が特定される。そして、面談依頼手段により、面談対象者情報記憶手段の面談対象者情報に基づいて、特定された面談対象者の面談対象者端末に面談依頼が行われる。
【００１２】
面談対象者端末では、面談依頼を受け、これを受諾する場合、面談支援装置に対して面談受諾を入力する。
【００１３】
面談支援装置では、面談受諾入力手段により面談受諾を入力すると、面談機会設定手段により、面談受諾を得た面談希望者と、面談受諾を行った面談受諾者との面談の機会が設定される。そして、面談対象者が面談受諾を得た場合等は、価値減少手段により、その面談対象者が所有する価値が減少する。また、面談対象者が面談受諾を行った場合等は、価値増加手段により、その面談対象者が所有する価値が増加する。
【００１４】
ここで、面談対象者は、自然人であってもよいし、法人であってもよい。以下、発明２の面談支援装置において同じである。
【００１５】
また、面談対象者特定手段は、面談希望者が面談を希望する面談対象者を特定する構成であればどのような構成であってもよく、具体的には、例えば、次の構成を採用することができる。
【００１６】
第１の構成は、面談対象者を識別するための識別情報を面談希望者の面談対象者端末から入力し、入力した識別情報に基づいて面談対象者を特定する。
【００１７】
第２の構成は、複数の面談対象者のなかから１または複数の面談対象者を面談希望者の面談対象者端末に選択させる。
【００１８】
第３の構成は、面談希望者の属性を示す面談希望者情報および面談対象者情報に基づいて、面談希望者が面談を希望する面談対象者を推定する。例えば、面談希望者の業種と取引関係となる業種の面談対象者を、面談希望者が面談を希望する面談対象者として推定する。
【００１９】
第４の構成は、面談希望者の面談対象者端末から面談希望者が希望する条件を入力し、面談対象者情報に基づいて、入力した希望に適合する面談対象者を検索する。
【００２０】
第５の構成は、第４の構成において、さらに、検索された面談対象者のなかから１または複数の面談対象者を面談希望者の面談対象者端末に選択させる。
【００２１】
第６の構成は、第４の構成において、さらに、検索された面談対象者を面談希望者の面談対象者端末に提示し、提示した面談対象者のなかから１または複数の面談対象者を面談希望者の面談対象者端末に選択させる。
【００２２】
また、面談機会設定手段は、面談希望者と面談受諾者との面談の機会を設定する構成であればどのような構成であってもよく、具体的には、例えば、次の構成を採用することができる。
【００２３】
第１の構成は、面談希望者の面談対象者端末に面談受諾を行う。これにより、面談希望者は、自己の面談依頼が受け入れられたことを把握することができるので、面談受諾者に連絡をとることにより面談の機会が設定される。
【００２４】
第２の構成は、面談希望者の面談対象者端末に面談受諾者の面談対象者情報（例えば、住所、電話番号、メールアドレス）を提示する。これにより、面談希望者は、面談受諾者の属性を把握することができるので、その面談受諾者に電話やメール等で連絡をとることにより面談の機会が設定される。
【００２５】
第３の構成は、面談に関する通知（例えば、日時、場所）を面談希望者の面談対象者端末に送信する。また、面談希望者に郵送等するために、同通知を記載した通知書を印刷する。
【００２６】
第４の構成は、面談受諾者の面談対象者端末に面談希望者の面談対象者情報（例えば、住所、電話番号、メールアドレス）を提示する。これにより、面談受諾者は、面談希望者の属性を把握することができるので、その面談希望者に連絡をとることにより面談の機会が設定される。また、第１ないし第３の構成と組み合わせることもできる。
【００２７】
第５の構成は、面談に関する通知（例えば、日時、場所）を面談受諾者の面談対象者端末に送信する。また、面談受諾者に郵送等するために、同通知を記載した通知書を印刷する。また、第１ないし第３の構成と組み合わせることもできる。
【００２８】
第６の構成は、面談希望者の面談対象者端末と、面談受諾者の面談対象者端末とを通信可能に接続する。例えば、チャットができるようになる。
【００２９】
なお、面談の機会を設定するにあたって、面談希望者または面談受諾者の一方から他方にメール等の通知を行う場合は、信頼性の向上の観点から、例えば、本装置の管理者が内容を確認し、承認された通知のみ行うことが好ましい。
【００３０】
以下、発明２の面談支援装置、および発明７の面談支援プログラムにおいて同じである。
【００３１】
また、価値減少手段は、面談対象者が面談依頼を行った場合、面談対象者が面談受諾を得た場合、または面談対象者が依頼した面談の機会が設定された場合は、価値情報を更新するが、更新する条件としては、これらの場合が契機となれば足りる。例えば、面談対象者が依頼した面談の機会が設定された場合で、かつ、例えばその面談対象者が面談の相手方を評価した場合は、価値情報を更新してもよい。以下、発明２の面談支援装置、および発明７の面談支援プログラムにおいて同じである。
【００３２】
また、価値増加手段は、面談対象者が面談依頼を受けた場合、面談対象者が面談受諾を行った場合、または面談対象者が受諾した面談の機会が設定された場合は、価値情報を更新するが、更新する条件としては、これらの場合が契機となれば足りる。例えば、面談対象者が受諾した面談の機会が設定された場合で、かつ、例えばその面談対象者が面談の相手方を評価した場合は、価値情報を更新してもよい。以下、発明２の面談支援装置、および発明７の面談支援プログラムにおいて同じである。
【００３３】
また、面談対象者情報記憶手段は、面談対象者情報をあらゆる手段でかつあらゆる時期に記憶するものであり、面談対象者情報をあらかじめ記憶してあるものであってもよいし、面談対象者情報をあらかじめ記憶することなく、本装置の動作時に外部からの入力等によって面談対象者情報を記憶するようになっていてもよい。以下、記憶手段への記憶の概念については同じである。
【００３４】
また、本装置は、単一の装置、端末その他の機器として実現するようにしてもよいし、複数の装置、端末その他の機器を通信可能に接続したネットワークシステムとして実現するようにしてもよい。後者の場合、各構成要素は、複数の機器等のうちいずれに属していてもよい。以下、発明２の面談支援装置において同じである。
【００３５】
〔発明２〕  さらに、発明２の面談支援装置は、面談の対象となる面談対象者が利用する面談対象者端末と通信可能に接続され、前記面談対象者のうち面談を希望する面談希望者と、前記面談対象者のうち面談を受諾する面談受諾者との面談を支援する面談支援装置であって、企業の属性を示す企業情報を記憶する企業情報記憶手段と、前記面談対象者の属性を示す面談対象者情報を、当該面談対象者の属する企業の前記企業情報と対応づけて記憶する面談対象者情報記憶手段と、前記面談対象者が所有する価値を示す価値情報を記憶する価値情報記憶手段と、前記面談希望者の前記面談対象者端末から当該面談希望者が希望する企業の条件を入力する希望条件入力手段と、前記企業情報記憶手段の企業情報に基づいて、前記希望条件入力手段で入力した希望に適合する企業を検索する企業検索手段と、前記企業検索手段で検索された企業のなかから１または複数の企業を前記面談希望者の前記面談対象者端末に選択させる企業選択手段と、前記面談対象者情報記憶手段の面談対象者情報に基づいて、前記企業選択手段で選択された企業に属する前記面談対象者の前記面談対象者端末に面談依頼を行う面談依頼手段と、前記面談依頼を受けた前記面談対象者端末から面談受諾を入力する面談受諾入力手段と、前記面談受諾入力手段で入力した面談受諾を得た前記面談希望者と、当該面談受諾を行った前記面談受諾者との面談の機会を設定する面談機会設定手段と、前記面談対象者が面談依頼を行った場合、前記面談対象者が面談受諾を得た場合、または前記面談対象者が依頼した面談の機会が設定された場合は、当該面談対象者が所有する価値が減少するように前記価値情報記憶手段の価値情報を更新する価値減少手段と、前記面談対象者が面談依頼を受けた場合、前記面談対象者が面談受諾を行った場合、または前記面談対象者が受諾した面談の機会が設定された場合は、当該面談対象者が所有する価値が増加するように前記価値情報記憶手段の価値情報を更新する価値増加手段とを備える。
【００３６】
このような構成であれば、面談を希望する場合、面談希望者の面談対象者端末では、面談支援装置に対して、面談を希望する企業の条件を入力する。
【００３７】
面談支援装置では、希望条件入力手段により企業の条件を入力すると、企業検索手段により、企業情報記憶手段の企業情報に基づいて、入力された希望に適合する企業が検索される。
【００３８】
面談希望者の面談対象者端末では、検索された企業のなかから１または複数の企業を選択する。
【００３９】
面談支援装置では、企業選択手段により企業が選択されると、面談依頼手段により、面談対象者情報記憶手段の面談対象者情報に基づいて、選択された企業に属する面談対象者の面談対象者端末に面談依頼が行われる。
【００４０】
面談対象者端末では、面談依頼を受け、これを受諾する場合、面談支援装置に対して面談受諾を入力する。
【００４１】
面談支援装置では、面談受諾入力手段により面談受諾を入力すると、面談機会設定手段により、面談受諾を得た面談希望者と、面談受諾を行った面談受諾者との面談の機会が設定される。そして、面談対象者が面談受諾を得た場合等は、価値減少手段により、その面談対象者が所有する価値が減少する。また、面談対象者が面談受諾を行った場合等は、価値増加手段により、その面談対象者が所有する価値が増加する。
【００４２】
〔発明３〕  さらに、発明３の面談支援装置は、発明２の面談支援装置において、前記企業情報記憶手段は、前記面談対象者情報記憶手段に前記面談対象者情報が記憶されている面談対象者が属する企業以外の企業の前記企業情報をも記憶し、前記企業選択手段で選択された企業に属する前記面談対象者の前記面談対象者情報が前記面談対象者情報記憶手段に記憶されていない場合は、当該面談対象者への面談依頼を保留する面談依頼保留手段と、前記面談依頼保留手段で面談依頼が保留されている面談対象者の前記面談対象者情報が前記面談対象者情報記憶手段に記憶された場合は、当該面談対象者の前記面談対象者端末に面談依頼を行う第２面談依頼手段とを備える。
【００４３】
このような構成であれば、面談支援装置では、選択された企業に属する面談対象者の面談対象者情報が面談対象者情報記憶手段に記憶されていない場合は、面談依頼保留手段により、その面談対象者への面談依頼が保留される。その後、面談依頼が保留されている面談対象者の面談対象者情報が面談対象者情報記憶手段に記憶された場合は、第２面談依頼手段により、その面談対象者の面談対象者端末に面談依頼が行われる。
【００４４】
面談対象者端末では、面談依頼を受け、これを受諾する場合、面談支援装置に対して面談受諾を入力する。
【００４５】
面談支援装置では、面談受諾入力手段により面談受諾を入力すると、面談機会設定手段により、面談受諾を得た面談希望者と、面談受諾を行った面談受諾者との面談の機会が設定される。
【００４６】
〔発明４〕  さらに、発明４の面談支援装置は、発明２および３のいずれか１の面談支援装置において、前記面談対象者として登録を希望する登録希望者が利用する登録希望者端末と通信可能に接続され、前記企業情報は、企業の名称およびドメインを含み、前記登録希望者端末から企業の名称の一部または全部を入力する名称入力手段と、前記登録希望者端末から企業のドメインの一部または全部を入力するドメイン入力手段と、前記企業情報記憶手段の企業情報に基づいて、前記名称入力手段で入力した名称および前記ドメイン入力手段で入力したドメインに適合する企業を検索する第２企業検索手段と、前記第２企業検索手段で検索された企業のなかからいずれかを前記登録希望者端末に選択させる第２企業選択手段と、前記登録希望者端末から前記面談対象者情報を入力する面談対象者情報入力手段と、前記面談対象者情報入力手段で入力した面談対象者情報を、前記第２企業選択手段で選択された企業の前記企業情報と対応づけて前記面談対象者情報記憶手段に登録する面談対象者情報登録手段とを備える。
【００４７】
このような構成であれば、登録を希望する場合、登録希望者端末では、面談支援装置に対して、自己が属する企業の名称およびドメインを入力する。
【００４８】
面談支援装置では、名称入力手段およびドメイン入力手段により企業の名称およびドメインを入力すると、第２企業検索手段により、企業情報記憶手段の企業情報に基づいて、入力された名称およびドメインに適合する企業が検索される。
【００４９】
登録希望者端末では、検索された企業のなかからいずれかを選択し、面談支援装置に対して面談対象者情報を入力する。
【００５０】
面談支援装置では、第２企業選択手段により企業が選択され、面談対象者情報入力手段により面談対象者情報が入力されると、面談対象者情報登録手段により、入力された面談対象者情報が、選択された企業の企業情報と対応づけられて登録される。
【００５１】
〔発明５〕  さらに、発明５の面談支援装置は、発明２ないし４のいずれか１の面談支援装置において、前記面談受諾入力手段で入力した面談受諾を行った前記面談受諾者が属する企業と、同一の面談依頼について前記面談受諾入力手段でそれよりも前に入力した面談受諾を行った前記面談受諾者が属する企業とが同一である場合は、当該面談受諾者の一方若しくは両方、または当該面談依頼を行った前記面談希望者の前記面談対象者端末に所定の通知を行う通知手段を備える。
【００５２】
このような構成であれば、面談支援装置では、面談受諾入力手段で入力した面談受諾を行った面談受諾者が属する企業と、同一の面談依頼について面談受諾入力手段でそれよりも前に入力した面談受諾を行った面談受諾者が属する企業とが同一である場合は、通知手段により、その面談受諾者の一方若しくは両方、またはその面談依頼を行った面談希望者の面談対象者端末に所定の通知が行われる。
【００５３】
ここで、所定の通知としては、例えば、面談を実施するか否かを確認する旨の通知、重複面談が行われる可能性がある旨の通知、または面談を中止する旨の通知が含まれる。
【００５４】
〔発明６〕  さらに、発明６の面談支援装置は、発明２ないし５のいずれか１の面談支援装置において、前記面談希望者または前記面談受諾者の前記面談対象者端末から面談の相手方である前記面談対象者の評価を入力する評価入力手段と、前記評価入力手段で入力した評価が所定の面談可能条件を満たさない場合は、当該評価を受けた前記面談対象者との面談の機会を設定することを抑制する面談機会設定抑制手段とを備える。
【００５５】
このような構成であれば、面談希望者または面談受諾者の面談対象者端末では、面談支援装置に対して面談の相手方の評価を入力する。
【００５６】
面談支援装置では、評価入力手段により面談対象者の評価を入力し、入力した評価が所定の面談可能条件を満たさない場合は、面談機会設定抑制手段により、その評価を受けた面談対象者との面談の機会を設定することが抑制される。
【００５７】
ここで、面談機会設定抑制手段は、面談対象者との面談の機会の設定を抑制する構成であればどのような構成であってもよく、具体的には、例えば、次の構成を採用することができる。
【００５８】
第１の構成は、その面談対象者が希望条件入力手段による入力を行うことを制限または禁止する。
【００５９】
第２の構成は、その面談対象者が属する企業について企業検索手段による検索を行うことを制限または禁止する。
【００６０】
第３の構成は、その面談対象者が企業選択手段による選択を行うことを制限または禁止する。
【００６１】
第４の構成は、その面談対象者に対して面談依頼手段による面談依頼を行うことを制限または禁止する。
【００６２】
第５の構成は、その面談対象者が面談受諾入力手段による入力を行うことを制限または禁止する。
【００６３】
第６の構成は、その面談対象者について面談機会設定手段による設定を行うことを制限または禁止する。
【００６４】
〔発明７〕  一方、上記目的を達成するために、発明７の面談支援プログラムは、面談の対象となる面談対象者が利用する面談対象者端末と通信可能に接続されるコンピュータに対し、前記面談対象者のうち面談を希望する面談希望者と、前記面談対象者のうち面談を受諾する面談受諾者との面談を支援する処理を実行させるための面談支援プログラムであって、前記面談希望者の前記面談対象者端末からの要求に応じて、当該面談希望者が面談を希望する前記面談対象者を特定する面談対象者特定ステップと、前記面談対象者の属性を示す面談対象者情報を記憶する面談対象者情報記憶手段の面談対象者情報に基づいて、前記面談対象者特定ステップで特定した面談対象者の前記面談対象者端末に面談依頼を行う面談依頼ステップと、前記面談依頼を受けた前記面談対象者端末から面談受諾を入力する面談受諾入力ステップと、前記面談受諾入力ステップで入力した面談受諾を得た前記面談希望者と、当該面談受諾を行った前記面談受諾者との面談の機会を設定する面談機会設定ステップと、前記面談対象者が面談依頼を行った場合、前記面談対象者が面談受諾を得た場合、または前記面談対象者が依頼した面談の機会が設定された場合は、当該面談対象者が所有する価値が減少するように、前記面談対象者が所有する価値を示す価値情報を記憶する価値情報記憶手段の価値情報を更新する価値減少ステップと、前記面談対象者が面談依頼を受けた場合、前記面談対象者が面談受諾を行った場合、または前記面談対象者が受諾した面談の機会が設定された場合は、当該面談対象者が所有する価値が増加するように前記価値情報記憶手段の価値情報を更新する価値増加ステップとを含む処理を実行させるためのプログラムである。
【００６５】
このような構成であれば、コンピュータによってプログラムが読み取られ、読み取られたプログラムに従ってコンピュータが処理を実行すると、発明１の面談支援装置と同等の作用が得られる。
【発明の効果】
【００６６】
以上説明したように、発明１の面談支援装置によれば、面談対象者が面談受諾を得た場合等は、その面談対象者が所有する価値が減少するのに対し、面談対象者が面談受諾を行った場合等は、その面談対象者が所有する価値が増加するので、「面談を希望する場合は他者からの面談依頼も受け入れる」という動機づけが形成される。したがって、相互扶助により面談の機会が増えることが期待できるので、従来に比して、他者との面談の機会を向上することができるという効果が得られる。
【００６７】
さらに、発明２の面談支援装置によれば、上記同様に、相互扶助により企業間の面談の機会が増えることが期待できるので、従来に比して、商取引の機会を向上することができるという効果が得られる。
【００６８】
さらに、発明３の面談支援装置によれば、面談希望者は、面談対象者が登録されていない企業を選択して面談依頼を行うことができ、その後、その企業に属する面談対象者が登録されると、その面談対象者に面談依頼が行われるので、面談対象者が登録されていない企業であっても面談の機会を円滑に設定することができるという効果が得られる。
【００６９】
さらに、発明４の面談支援装置によれば、登録希望者は、自己が属する企業の名称およびドメインを入力し、企業を選択するだけで、自己が属する企業と対応づけて登録を受けることができるので、登録作業が容易であるという効果が得られる。また、企業の名称およびドメインという比較的ユニークな識別情報を用いて登録を行うので、間違いの少ない登録を行うことができるという効果も得られる。
【００７０】
さらに、発明５の面談支援装置によれば、所定の通知により同一企業に属する複数の面談対象者との面談が行われる可能性があることを把握することができるので、重複面談を防止することができるという効果が得られる。
【００７１】
さらに、発明６の面談支援装置によれば、面談希望者または面談受諾者は、相手方からの評価が所定の面談可能条件を満たさない場合は、自己の面談の機会が抑制されるので、本来の目的とは異なる目的（例えば、不正の目的）で面談を依頼したり面談を受諾したりすることを防止することができるという効果が得られる。
【００７２】
一方、発明７の面談支援プログラムによれば、発明１の面談支援装置と同等の効果が得られる。
【図面の簡単な説明】
【００７３】
【図１】ネットワークシステムの構成を示すブロック図である。
【図２】面談支援サーバ１００のハードウェア構成を示す図である。
【図３】記憶装置４２に記憶されているデータベースを構成する各種テーブルのデータ構造を示す図である。
【図４】記憶装置４２に記憶されているデータベースを構成する各種テーブルのデータ構造を示す図である。
【図５】記憶装置４２に記憶されているデータベースを構成する各種テーブルのデータ構造を示す図である。
【図６】記憶装置４２に記憶されているデータベースを構成する各種テーブルのデータ構造を示す図である。
【図７】記憶装置４２に記憶されているデータベースを構成する各種テーブルのデータ構造を示す図である。
【図８】ログイン前のトップページを示す画面である。
【図９】新規登録を行うページを示す画面である。
【図１０】ログイン後のトップページを示す画面である。
【図１１】面談依頼を行うページを示す画面である。
【図１２】あなたに会いたい企業の一覧ページを示す画面である。
【図１３】あなたに会いたい企業の詳細ページを示す画面である。
【図１４】面談依頼の一覧ページを示す画面である。
【図１５】面談依頼の詳細ページを示す画面である。
【図１６】面談受諾の詳細ページを示す画面である。
【図１７】提案依頼を行うページを示す画面である。
【図１８】コントロールパネルのページを示す画面である。
【発明を実施するための形態】
【００７４】
以下、本発明の実施の形態を説明する。
まず、本発明を適用するネットワークシステムの機能概要を説明する。
【００７５】
図１は、ネットワークシステムの構成を示すブロック図である。
インターネット１９９には、図１に示すように、企業間の面談を支援する面談支援サーバ１００と、面談支援サーバ１００を管理する管理者が利用する管理者端末２００と、企業に属しかつ面談の対象となる面談対象者が利用する複数の面談対象者端末３００とが接続されている。本実施の形態において、面談対象者としては、他の企業に属する面談対象者との面談を希望する面談希望者と、他の企業に属する面談希望者から依頼された面談を受諾する面談受諾者とが存在する。面談支援サーバ１００は、面談依頼を行った面談希望者と、その面談希望者から依頼された面談を受諾した面談受諾者との面談の機会を設定する。また、面談対象者が自己に面談依頼を行ってもらいたい旨の提案を他の面談対象者に依頼する提案依頼を行い、提案依頼を受けて面談依頼を行った面談希望者と、その面談希望者から依頼された面談を受諾した面談受諾者との面談の機会を設定する。
【００７６】
その他、インターネット１９９には、図示しないが、面談対象者として登録を希望する登録希望者が利用する複数の登録希望者端末が接続されている。
【００７７】
次に、面談支援サーバ１００の構成を説明する。
図２は、面談支援サーバ１００のハードウェア構成を示す図である。
【００７８】
面談支援サーバ１００は、図２に示すように、制御プログラムに基づいて演算およびシステム全体を制御するＣＰＵ（Central Processing Unit）３０と、所定領域にあらかじめＣＰＵ３０の制御プログラム等を格納しているＲＯＭ（Read Only Memory）３２と、ＲＯＭ３２等から読み出したデータやＣＰＵ３０の演算過程で必要な演算結果を格納するためのＲＡＭ（Random Access Memory）３４と、外部装置に対してデータの入出力を媒介するＩ／Ｆ３８とで構成されており、これらは、データを転送するための信号線であるバス３９で相互にかつデータ授受可能に接続されている。
【００７９】
Ｉ／Ｆ３８には、外部装置として、ヒューマンインターフェースとしてデータの入力が可能なキーボードやマウス等からなる入力装置４０と、データやテーブル等をファイルとして格納する記憶装置４２と、画像信号に基づいて画面を表示する表示装置４４と、インターネット１９９に接続するための信号線とが接続されている。
【００８０】
次に、記憶装置４２のデータ構造を説明する。
図３は、記憶装置４２に記憶されているデータベースを構成する各種テーブルのデータ構造を示す図である。
【００８１】
記憶装置４２は、図３に示すように、企業の属性を示す企業情報を登録する企業情報テーブル４００と、面談対象者の属性を示す面談対象者情報を登録する面談対象者情報テーブル４０２と、面談対象者の口座情報を登録する口座情報テーブル４０４とを記憶している。
【００８２】
企業情報テーブル４００には、図３（ａ）に示すように、企業ごとに１つのレコードが登録されている。各レコードは、（１）企業を識別するための企業ＩＤ（企業識別情報）、（２）企業の名称、（３）企業の年間の売上高、（４）企業に属する従業員の人数、（５）企業の業種の分類のうち最も大まかな分類である大分類、（６）企業の業種の分類のうち次に大まかな分類である中分類、（７）企業の業種の分類のうち最も詳細な分類である小分類、（８）企業の営業内容、（９）企業の発行株式がどの証券取引所に上場しているかまたはされていないか、（１０）企業の郵便番号、（１１）企業の住所のうち都道府県、（１２）企業の住所のうち市区町村、（１３）企業の住所のうち番地、（１４）企業の住所のうちビル名、（１５）企業の電話番号、（１６）企業のＦＡＸ番号、（１７）企業のホームページのＵＲＬ（Uniform Resource Locator）（ドメイン）をそれぞれ登録するフィールドを含んで構成されている。企業情報テーブル４００は、管理者端末２００から管理者が企業情報を登録するものであって、これには、面談対象者情報テーブル４０２に登録されている面談対象者が属する企業の企業情報だけでなく、それ以外の企業の企業情報も多数登録されている。
【００８３】
面談対象者情報テーブル４０２には、図３（ｂ）に示すように、面談対象者ごとに１つのレコードが登録されている。各レコードは、（１）面談対象者を識別するためのユーザＩＤ（面談対象者識別情報）、（２）面談対象者が属する企業の企業ＩＤ、（３）面談対象者が属する部署の郵便番号、（４）面談対象者が属する部署の住所のうち都道府県、（５）面談対象者が属する部署の住所のうち市区町村、（６）面談対象者が属する部署の住所のうち番地、（７）面談対象者が属する部署の住所のうちビル名、（８）面談対象者が属する部署の属性、（９）面談対象者の業務内容、（１０）面談対象者が属する部署の名称、（１１）面談対象者の役職、（１２）面談対象者の氏名、（１３）面談対象者のメールアドレス、（１４）面談対象者の電話番号（ダイヤルイン）をそれぞれ登録するフィールドを含んで構成されている。このうち部署の属性は、例えば、営業、情報、総務、人事、製造、品質、知財、その他に分類されている。面談対象者情報テーブル４０２は、登録希望者端末から登録希望者が面談対象者情報を登録するものである。
【００８４】
口座情報テーブル４０４には、図３（ｃ）に示すように、面談対象者ごとに１つのレコードが登録されている。各レコードは、（１）面談対象者のユーザＩＤ、（２）第１振込先の銀行名、（３）第１振込先の支店名、（４）第１振込先の普通または当座の別、（５）第１振込先の口座番号、（６）第１振込先の名称、（７）第２振込先の銀行名、（８）第２振込先の支店名、（９）第２振込先の普通または当座の別、（１０）第２振込先の口座番号、（１１）第２振込先の名称、（１２）第３振込先の銀行名、（１３）第３振込先の支店名、（１４）第３振込先の普通または当座の別、（１５）第３振込先の口座番号、（１６）第３振込先の名称をそれぞれ登録するフィールドを含んで構成されている。口座情報テーブル４０４は、登録希望者端末から登録希望者が口座情報を登録するものである。
【００８５】
図４は、記憶装置４２に記憶されているデータベースを構成する各種テーブルのデータ構造を示す図である。
【００８６】
記憶装置４２は、さらに、図４に示すように、面談対象者が所有するポイントを示すポイント情報を登録するポイント情報テーブル４０６と、面談希望者が面談を依頼する際に用いる文書のテンプレートを登録する面談依頼テンプレートテーブル４０８とを記憶している。
【００８７】
ポイント情報テーブル４０６には、図４（ａ）に示すように、面談対象者ごとおよびポイントの取得（または消化）ごとに１つのレコードが登録されている。各レコードは、（１）面談対象者のユーザＩＤ、（２）ポイントの取得（または消化）日時、（３）取得（または消化）したポイント数、（４）ポイントの取得（または消化）事由をそれぞれ登録するフィールドを含んで構成されている。このうち取得事由は、「０」が購入によりポイントを取得したことを、「１」が面談依頼によりポイントを消化したことを、「２」が面談受諾によりポイントを取得したことを示している。ポイント情報テーブル４０６は、面談対象者が登録された場合にポイント情報を登録し、面談受諾者が面談受諾を行った場合、または面談希望者が面談受諾を得た場合にポイント情報を更新するものである。
【００８８】
面談依頼テンプレートテーブル４０８には、図４（ｂ）に示すように、面談対象者ごとおよびテンプレートごとに１つのレコードが登録されている。各レコードは、（１）面談対象者のユーザＩＤ、（２）テンプレートを識別するためのテンプレートＩＤ（テンプレート識別情報）、（３）テンプレートの名称、（４）テンプレートの更新日時、（５）文書のタイトル、（６）文書の内容、（７）文書の内容を記録したファイルの名称をそれぞれ登録するフィールドを含んで構成されている。ファイル名（７）が登録されている場合は、文書の内容（６）に代えて、ファイル名（７）のファイルに記録されている文書の内容が用いられる。面談依頼テンプレートテーブル４０８は、面談対象者端末３００から面談希望者がテンプレートを登録するものである。
【００８９】
図５は、記憶装置４２に記憶されているデータベースを構成する各種テーブルのデータ構造を示す図である。
【００９０】
記憶装置４２は、さらに、図５に示すように、面談希望者が行った面談依頼に関する面談依頼情報を登録する面談依頼情報テーブル４１０と、面談依頼先となる面談対象者または企業の対応を示す面談依頼先対応情報を登録する面談依頼先対応情報テーブル４１２と、面談対象者が行う面談受諾に関する面談受諾情報を登録する面談受諾情報テーブル４１４とを記憶している。
【００９１】
面談依頼情報テーブル４１０には、図５（ａ）に示すように、面談依頼ごとに１つのレコードが登録されている。各レコードは、（１）面談依頼に係る面談を識別するための面談ＩＤ（面談識別情報）、（２）面談依頼を行った面談希望者のユーザＩＤ、（３）面談依頼を行った日時、（４）面談を希望する理由、（５）分析用ＩＤ、（６）面談希望者が面談を依頼する際に添付するファイルの名称をそれぞれ登録するフィールドを含んで構成されている。面談依頼情報テーブル４１０は、面談希望者が面談依頼を行った場合に面談依頼情報を登録するものである。
【００９２】
面談依頼先対応情報テーブル４１２には、図５（ｂ）に示すように、面談依頼ごとおよび面談依頼先ごとに１つのレコードが登録されている。各レコードは、（１）面談ＩＤ、（２）面談依頼先となる面談対象者のユーザＩＤ、（３）面談依頼先となる企業の企業ＩＤ、（４）ステータスをそれぞれ登録するフィールドを含んで構成されている。このうちステータスは、「０」が面談依頼に対して面談対象者が回答していない状態を、「１」が面談対象者は回答したが面談希望者が回答していない状態を、「２」が面談希望者が最終的に回答した状態を示している。面談依頼先対応情報テーブル４１２は、面談希望者が面談依頼を行った場合に面談依頼先対応情報を登録するものである。
【００９３】
面談受諾情報テーブル４１４には、図５（ｃ）に示すように、面談依頼ごとおよび面談依頼先となる面談対象者ごとに１つのレコードが登録されている。各レコードは、（１）面談ＩＤ、（２）面談依頼先となる面談対象者のユーザＩＤ、（３）面談依頼に係る面談を受諾するか否か、（４）受諾の可否を回答した日時、（５）面談を受諾した場合に面談受諾者が面談を第１位に希望する日時、（６）面談を受諾した場合に面談受諾者が面談を第２位に希望する日時、（７）面談を受諾した場合に面談受諾者が面談を第３位に希望する日時、（８）面談依頼先となる面談対象者のコメント、（９）面談が成立した日時、（１０）面談実施日時、（１１）面談を拒否する理由をそれぞれ登録するフィールドを含んで構成されている。このうち面談実施日時は、「０」が面談希望者が面談希望日時（５）を指定したことを、「１」が面談希望者が面談希望日時（６）を指定したことを、「２」が面談希望者が面談希望日時（７）を指定したことを示している。面談受諾情報テーブル４１４は、面談希望者が面談依頼を行った場合に面談受諾情報を登録するものである。
【００９４】
図６は、記憶装置４２に記憶されているデータベースを構成する各種テーブルのデータ構造を示す図である。
【００９５】
記憶装置４２は、さらに、図６に示すように、面談対象者が行った提案依頼に関する提案依頼情報を登録する提案依頼情報テーブル４１６と、提案依頼先となる提案対象者または企業の対応を示す提案依頼先対応情報を登録する提案依頼先対応情報テーブル４１８とを記憶している。
【００９６】
提案依頼情報テーブル４１６には、図６（ａ）に示すように、提案依頼ごとに１つのレコードが登録されている。各レコードは、（１）提案依頼に係る提案を識別するための提案ＩＤ（提案識別情報）、（２）提案依頼を行った面談対象者のユーザＩＤ、（３）提案依頼を行った日時、（４）提案依頼に係る文書のタイトル、（５）提案依頼に係る文書の内容、（６）提案依頼に係る文書の内容を記録したファイルの名称をそれぞれ登録するフィールドを含んで構成されている。ファイル名（６）が登録されている場合は、文書の内容（５）に代えて、ファイル名（６）のファイルに記録されている文書の内容が用いられる。提案依頼情報テーブル４１６は、面談対象者が提案依頼を行った場合に提案依頼情報を登録するものである。
【００９７】
提案依頼先対応情報テーブル４１８には、図６（ｂ）に示すように、提案依頼ごとおよび提案依頼先ごとに１つのレコードが登録されている。各レコードは、（１）提案ＩＤ、（２）提案依頼先となる面談対象者のユーザＩＤ、（３）提案依頼先となる企業の企業ＩＤをそれぞれ登録するフィールドを含んで構成されている。提案依頼先対応情報テーブル４１８は、面談対象者が提案依頼を行った場合に提案依頼先対応情報を登録するものである。
【００９８】
図７は、記憶装置４２に記憶されているデータベースを構成する各種テーブルのデータ構造を示す図である。
【００９９】
記憶装置４２は、さらに、図７に示すように、面談希望者または面談受諾者の評価を示す評価情報を登録する評価情報テーブル４２０と、イベント（例えば、面談対象者の行動）を示すイベント情報を登録するイベント情報テーブル４２２とを記憶している。
【０１００】
評価情報テーブル４２０には、図７（ａ）に示すように、評価ごとに１つのレコードが登録されている。各レコードは、（１）評価を受けた面談対象者のユーザＩＤ、（２）評価を受けた日時、（３）評価の対象となる面談の面談ＩＤ、（４）評価をそれぞれ登録するフィールドを含んで構成されている。このうち評価は、「１」〜「５」のいずれかであり、「１」が最も悪く「５」が最もよい。評価情報テーブル４２０は、面談希望者または面談受諾者が評価を行った場合に評価情報を登録するものである。
【０１０１】
イベント情報テーブル４２２には、図７（ｂ）に示すように、イベントごとに１つのレコードが登録されている。各レコードは、（１）イベントの発生の対象となる面談対象者のユーザＩＤ、（２）イベントが発生した日時、（３）イベントの内容をそれぞれ登録するフィールドを含んで構成されている。イベント情報テーブル４２２は、イベントが発生した場合にイベント情報を登録するものである。
【０１０２】
次に、本実施の形態の動作を説明する。
〔登録〕
図８は、ログイン前のトップページを示す画面である。
【０１０３】
面談対象者として登録を行う場合、登録希望者端末では、ＷＷＷ（World Wide Web）ブラウザ等により面談支援サーバ１００にアクセスすると、図８に示すように、トップページが表示される。
【０１０４】
トップページは、縦３段に区分されている。
トップページの第１段目には、登録されている企業の数、登録されている面談対象者の人数および面談が成立した件数が表示されるとともに、新規登録を行うボタン５００が表示される。
【０１０５】
トップページの第２段目には、検索条件を指定するドロップダウンリスト５０２〜５１８と、検索を実行するボタン５２０とが表示される。
【０１０６】
トップページの第３段目には、検索結果の一覧として、企業の名称、面談対象者の登録の有無および企業を選択するチェックボックス５２２が表示されるとともに、選択した企業に対して面談依頼を行うボタン５２４と、選択した企業に対して提案依頼を行うボタン５２６とが表示される。
【０１０７】
ここで、登録希望者は、ボタン５００をクリックする。
図９は、新規登録を行うページを示す画面である。
【０１０８】
ボタン５００がクリックされると、図９に示すように、新規登録を行うページが表示される。
【０１０９】
新規登録を行うページは、縦２段に区分されている。
新規登録を行うページの第１段目には、企業の名称を入力するテキストボックス５２８と、企業のドメインを入力するテキストボックス５３０と、検索を実行するボタン５３２とが表示される。
【０１１０】
ここで、登録希望者は、テキストボックス５２８に企業の名称の一部または全部を、テキストボックス５３０に企業のドメインの一部または全部を入力し、ボタン５３２をクリックする。
【０１１１】
面談支援サーバ１００では、ボタン５３２がクリックされると、入力された企業の名称およびドメインを含むレコードが企業情報テーブル４００のなかから検索される。
【０１１２】
新規登録を行うページの第２段目には、検索結果の一覧として、この企業で登録を行うボタン５３４と、該当する企業の名称とが表示されるとともに、検索結果の一覧にはない企業で登録を行うボタン５３６が表示される。
【０１１３】
ここで、登録希望者は、自己が属する企業が検索結果の一覧に存在する場合は、該当の企業のボタン５３４をクリックする。ボタン５３４がクリックされると、企業情報、面談対象者情報および口座情報を入力するページが表示される。企業情報の入力項目としては、企業情報テーブル４００のうち企業ＩＤ以外のフィールドの項目が要求される。面談対象者情報としては、面談対象者情報テーブル４０２のうちユーザＩＤおよび企業ＩＤ以外のフィールドの項目が要求される。口座情報としては、口座情報テーブル４０４のうちユーザＩＤ以外のフィールドの項目が要求される。口座情報の入力は任意である。ユーザＩＤは、面談支援サーバ１００により自動的に付与される。企業ＩＤは、検索された企業の企業ＩＤが対応づけられる。企業情報の入力欄には、検索された企業の企業情報が埋め込まれ、修正が必要な場合は、適宜修正できるようになっている。企業情報と面談対象者情報は１画面で入力するようになっている。これらを入力し、登録を要求すると、企業情報が修正された場合は修正後の企業情報が企業情報テーブル４００の該当レコードに上書きされ、入力された面談対象者情報が面談対象者情報テーブル４０２に新規に登録され、入力された口座情報が口座情報テーブル４０４に新規に登録される。
【０１１４】
これに対し、登録希望者は、自己が属する企業が検索結果の一覧に存在しない場合は、ボタン５３６をクリックする。ボタン５３６がクリックされると、上記同様に、企業情報、面談対象者情報および口座情報を入力するページが表示されるが、企業情報の入力欄には何も埋め込まれない。企業ＩＤは、面談支援サーバ１００により自動的に付与される。これらを入力し、登録を要求すると、入力された企業情報が企業情報テーブル４００に新規に登録され、入力された面談対象者情報および口座情報も上記同様に登録される。
【０１１５】
登録が完了すると、管理者がコントロールパネル（後述）上からその内容を確認することができる。管理者が内容に不備がないことを確認し、承認を行うと、ログインに必要なユーザＩＤおよびパスワードを記載したメールが登録希望者端末に送信される。
【０１１６】
〔ポイント購入〕
図１０は、ログイン後のトップページを示す画面である。
面談対象者は、トップページにおいてユーザＩＤおよびパスワードを入力すると、図１０に示すように、ログイン後のトップページが表示される。
【０１１７】
ログイン後のトップページは、縦４段に区分されている。
ログイン後のトップページの第１段目には、自己が所有するポイント数、面談依頼を行って今までに会った面談対象者の人数、面談受諾を行って今まで会ってあげた面談対象者の人数が表示されるとともに、このサイトを紹介するボタン５３８が表示される。
【０１１８】
ログイン後のトップページの第２段目には、自己へのメッセージを表示するボタン５４０と、ポイントを購入および換金するボタン５４２と、登録情報を変更するボタン５４４と、イベントの一覧を表示するボタン５４６と、面談依頼の文書を作成および更新するボタン５４８と、面談依頼の一覧を表示するボタン５５０と、あなたに会いたい企業の一覧を表示するボタン５５２と、企業の登録をリクエストするボタン５５４と、退会を申請するボタン５５６とが表示される。
【０１１９】
ログイン後のトップページの第３段目には、企業の業種の大分類を指定するドロップダウンリスト５０２と、企業の業種の中分類を指定するドロップダウンリスト５０４と、企業の業種の小分類を指定するドロップダウンリスト５０６と、企業の年間の売上高を指定するドロップダウンリスト５０８と、企業に属する従業員の人数を指定するドロップダウンリスト５１０と、企業の発行株式がどの証券取引所に上場しているかまたはされていないかを指定するドロップダウンリスト５１２と、企業の住所のうち都道府県を指定するドロップダウンリスト５１４と、企業の住所のうち市区町村を指定するドロップダウンリスト５１６と、面談対象者が属する部署の属性を指定するドロップダウンリスト５１８と、ボタン５２０とが表示される。
【０１２０】
ログイン後のトップページの第４段目には、検索結果の一覧として、企業の名称、面談対象者の登録の有無およびチェックボックス５２２が表示されるとともに、ボタン５２４、５２６とが表示される。企業の名称は、一部（例えば、「株式会社」等の定型文字を除く先頭２文字）が表示される。なお、企業の名称をまったく表示しなくてもよい。「登録済」と表示された企業（以下、「登録済」の企業と表記する。）については、少なくとも面談対象者が１人登録されており、「未登録」と表示された企業（以下、「未登録」の企業と表記する。）については、面談対象者が一人も登録されておらず企業情報のみが登録されている。
【０１２１】
面談希望者は、最初はポイントが「０」であるので、面談依頼を行う場合は、ボタン５４２をクリックし、ポイントを購入する。ポイントは、例えば、１ポイント１円で３０００ポイント単位で購入することができる。代金は、第１振込先ないし第３振込先から引き落とされる。代金の引き落としが確認できた後に、ポイントが付与される。なお、ポイントは、所定単位（例えば、１０００ポイント単位）で換金することもできるが、購入したポイントは換金することができない。すなわち、ポイント情報テーブル４０６においてポイントの取得事由が「０」のポイントについては換金することができない。換金後の金額は、同様に、第１振込先ないし第３振込先に振り込まれる。
【０１２２】
〔面談依頼〕
面談希望者は、面談依頼を行う場合、検索条件のいずれかを指定し、ボタン５２０をクリックする。そうすると、検索条件に該当するレコードが企業情報テーブル４００のなかから検索される。また、検索条件を指定しないでボタン５０２をクリックすると、すべてのレコードが企業情報テーブル４００のなかから検索される。検索された企業は、上位数社が一覧で表示される。面談希望者は、面談を希望する企業をチェックボックス５２２で選択し、ボタン５２４をクリックする。なお、ポイントが「０」の場合は、面談依頼を行うことができない。
【０１２３】
図１１は、面談依頼を行うページを示す画面である。
ボタン５２４がクリックされると、図１１に示すように、面談依頼を行うページが表示される。
【０１２４】
面談依頼を行うページは、縦２段に区分されている。
面談依頼を行うページの第１段目には、面談依頼の際に用いる文書のテンプレートを指定するボタン５５８と、面談依頼の際に用いる文面例を参照するボタン５６０と、面談を希望する理由を入力するテキストボックス５６２と、分析用ＩＤを入力するテキストボックス５６４と、面談依頼の際に添付するファイルを参照するボタン５６６と、添付ファイルのパスおよび名称を表示するテキストボックス５６８と、面談依頼を実行するボタン５７０とが表示される。
【０１２５】
面談依頼を行うページの第２段目には、面談依頼の対象として選択した企業の名称、面談対象者の登録の有無およびチェックボックス５７２が表示される。ここでも企業の名称は一部しか表示されないかまったく表示されない。面談希望者は、チェックボックス５７２からチェックを外すことで、一旦選択した企業を非選択とすることができる。
【０１２６】
面談希望者がボタン５５８をクリックすると、自己のユーザＩＤが登録されたレコードが面談依頼テンプレートテーブル４０８のなかから検索され、自己が作成したテンプレートの一覧が表示される。面談希望者は、そのなかから所望のテンプレートを選択すると、面談依頼の際にそのテンプレートの文書が用いられる。
【０１２７】
面談希望者がボタン５６０をクリックすると、文面例の一覧が表示される。面談希望者は、そのなかから所望の文面例を選択すると、面談依頼の際にその文面例が用いられる。
【０１２８】
面談希望者がボタン５６６をクリックし、自己の面談対象者端末３００に格納されているファイルを参照すると、面談依頼の際にそのファイルが添付される。添付ファイルは、面談支援サーバ１００にアップロードされ保存されるが、例えば、面談依頼後所定日数（例えば、３日）が経過すると、面談支援サーバ１００から削除される。
【０１２９】
面談希望者がボタン５７０をクリックすると、面談支援サーバ１００により面談ＩＤが自動的に付与され、面談依頼情報テーブル４１０に新たなレコードが登録される。面談依頼先対応情報テーブル４１２には、「登録済」の企業についてはその企業に属する面談対象者のユーザＩＤを含むレコードが登録され、「未登録」の企業についてはその企業の企業ＩＤを含むレコードが登録される。面談受諾情報テーブル４１４には、「登録済」の企業に属する面談対象者ごとに新たなレコードが登録される。そして、「登録済」の企業については、その企業に属する面談対象者の面談対象者端末３００および管理者端末２００に面談依頼の通知メールが送信される。これに対し、「未登録」の企業については、その企業に対する面談依頼が保留される。その後、面談依頼が保留されている「未登録」の企業に属する登録希望者が面談対象者として登録された場合は、その面談対象者の面談対象者端末３００および管理者端末２００に面談依頼の通知メールが送信される。
【０１３０】
〔面談受諾〕
図１２は、あなたに会いたい企業の一覧ページを示す画面である。
面談依頼を受けると、ログイン後のトップページにおいてその旨のメッセージが表示されるので、面談対象者は、他の企業に属する面談希望者から面談依頼を受けたことが分かる。ここで、面談対象者は、ボタン５５２をクリックすると、図１２に示すように、あなたに会いたい企業の一覧ページが表示される。
【０１３１】
あなたに会いたい企業の一覧ページでは、面談依頼を行った面談希望者が属する企業の一覧として、企業の名称、面談依頼の詳細を表示するボタン５７４および面談希望者の評価が表示される。企業の名称はすべて表示される。企業の名称をクリックすると、その企業のレコードが企業情報テーブル４００のなかから検索され、検索された企業情報が表示される。
【０１３２】
面談対象者は、面談依頼の詳細を知りたい場合は、ボタン５７４をクリックする。
図１３は、あなたに会いたい企業の詳細ページを示す画面である。
【０１３３】
ボタン５７４がクリックされると、図１３に示すように、あなたに会いたい企業の詳細ページが表示される。
【０１３４】
あなたに会いたい企業の詳細ページは、縦３段に区分されている。
あなたに会いたい企業の詳細ページの第１段目には、企業の名称、文書のタイトル、文書の内容、添付ファイルおよび企業情報を表示するボタン５７６が表示される。企業の名称はすべて表示される。ボタン５７６をクリックすると、その企業のレコードが企業情報テーブル４００のなかから検索され、検索された企業情報が表示される。
【０１３５】
あなたに会いたい企業の詳細ページの第２段目には、面談を受諾する場合の項目が表示される。具体的には、面談を第１位に希望する日時を入力するテキストボックス５７８と、面談を第２位に希望する日時を入力するテキストボックス５８０と、面談を第３位に希望する日時を入力するテキストボックス５８２と、面談希望者へのコメントを入力するテキストボックス５８４と、面談を受諾するボタン５８６とが表示される。
【０１３６】
あなたに会いたい企業の詳細ページの第３段目には、面談を拒否する場合の項目が表示される。具体的には、面談を拒否する理由を指定するドロップダウンリスト５８８と、面談希望者へのコメントを入力するテキストボックス５９０と、面談を拒否するボタン５９２とが表示される。
【０１３７】
面談対象者は、面談を受諾する場合、テキストボックス５７８〜５８４に必要な情報を入力し、ボタン５８６をクリックする。そうすると、面談受諾情報テーブル４１４の該当レコードが更新され、面談希望者の面談対象者端末３００に面談受諾の通知メールが送信される。ただし、面談受諾を行った面談受諾者が属する企業と、同一の面談依頼についてそれよりも前に入力した面談受諾を行った面談受諾者が属する企業とが同一である場合は、重複面談が行われる可能性がある旨の警告メッセージが表示される。
【０１３８】
これに対し、面談を拒否する場合は、ドロップダウンリスト５８８およびテキストボックス５９０に必要な情報を入力し、ボタン５９２をクリックする。そうすると、面談受諾情報テーブル４１４の該当レコードが更新され、面談希望者の面談対象者端末３００に面談拒否の通知メールが送信される。
【０１３９】
〔面談成立〕
図１４は、面談依頼の一覧ページを示す画面である。
面談受諾を受けると、ログイン後のトップページにおいてその旨のメッセージが表示されるので、面談希望者は、面談対象者から面談受諾を受けたことが分かる。ここで、面談希望者は、ボタン５５０をクリックすると、図１４に示すように、面談依頼の一覧ページが表示される。
【０１４０】
面談依頼の一覧ページには、面談依頼を行った企業の一覧として、企業の名称および面談依頼の詳細を表示するボタン５９４が表示されるとともに、サマリーを表示するボタン５９６と、分析用ＩＤごとに面談依頼の一覧を表示するボタン５９８とが表示される。ここでも企業の名称は一部しか表示されないかまったく表示されない。
【０１４１】
面談希望者は、面談依頼の詳細を知りたい場合は、ボタン５９４をクリックする。
図１５は、面談依頼の詳細ページを示す画面である。
【０１４２】
ボタン５９４がクリックされると、図１５に示すように、面談依頼の詳細ページが表示される。
【０１４３】
面談依頼の詳細ページは、縦２段に区分されている。
面談依頼の詳細ページの第１段目には、面談依頼の履歴、面談依頼を行った「登録済」の企業の数、面談依頼を行った「未登録」の企業の数および面談受諾を行った企業が表示される。
【０１４４】
面談依頼の詳細ページの第２段目には、面談受諾を行った企業の一覧として、企業の名称、面談受諾の詳細を表示するボタン６００および面談日確定の有無が表示されるとともに、再連絡を希望する企業の一覧として、企業の名称および再連絡の詳細を表示するボタン６０２が表示される。ここでも企業の名称は一部しか表示されないかまったく表示されない。
【０１４５】
面談希望者は、面談受諾の詳細を知りたい場合は、ボタン６００をクリックする。
図１６は、面談受諾の詳細ページを示す画面である。
【０１４６】
ボタン６００がクリックされると、図１６に示すように、面談受諾の詳細ページが表示される。
【０１４７】
面談受諾の詳細ページには、企業の名称と、企業の詳細を表示するボタン６０４と、面談受諾者が面談を第１位に希望する日時を選択するラジオボタン６０６と、面談受諾者が面談を第２位に希望する日時を選択するラジオボタン６０８と、面談受諾者が面談を第３位に希望する日時を選択するラジオボタン６１０と、面談受諾者の評価を指定するドロップダウンリスト６１２と、別の日時の調整を依頼するボタン６１４と、面談受諾者へのコメントを入力するテキストボックス６１６と、面談を成立させるボタン６１８とが表示される。ここでも企業の名称は一部しか表示されないかまったく表示されない。
【０１４８】
面談希望者は、ボタン６０４をクリックすると、その企業のレコードが企業情報テーブル４００のなかから検索され、検索された企業情報が表示される。ただし、企業の名称は一部しか表示されないかまったく表示されない。
【０１４９】
面談希望者は、面談を成立させる場合、ラジオボタン６０６〜６１０のいずれかをクリックし、ボタン６１８をクリックする。そうすると、面談に必要なポイント数が表示される。面談に必要なポイント数は、面談受諾者が属する企業の属性等に応じて設定することができる。例えば、年間の売上高が１００億円以上の企業ならば星が１つ、従業員数が５００名以上の企業ならば星が１つ、上場企業ならば星が１つ、面談受諾者の役職が役員以上ならば星が１つ付与されるとする。そして、星の数が０〜１個ならば５０００ポイント、星の数が２個ならば８０００ポイント、星の数が３個ならば１２０００ポイント、星の数が４個ならば１５０００ポイントが必要となるように設定する。面談希望者は、表示されたポイント数に同意する場合は、同意ボタンをクリックする。同意ボタンをクリックすると、現在のポイント数から面談に必要なポイント数が減算され、面談受諾者の面談対象者端末３００に面談成立の通知メールが送信される。これにより、面談希望者は、面談受諾者が属する企業の名称を含めすべての企業情報を把握することができる。その後は、設定された面談希望日時にその面談受諾者を訪問すれば、面談を行うことができる。このように、面談受諾を得た面談希望者と、面談受諾を行った面談受諾者との面談の機会が設定される。
【０１５０】
面談が終了した後は、面談希望者および面談受諾者は、相手方の評価を入力する。評価が入力されると、評価情報テーブル４２０に新たなレコードが登録される。また、面談受諾者は、面談希望者の評価を入力すると、現在のポイント数に所定のポイント数（例えば、面談希望者から減算されたポイント数の半分）が加算される。ただし、面談希望者から受けた評価によって得られるポイント数が変動する。例えば、評価が「５」、「４」の場合はマイナス０％、評価が「３」の場合はマイナス３０％、評価が「２」の場合はマイナス６０％、評価が「１」の場合はマイナス１００％とする。
【０１５１】
なお、評価「２」以下が合計で３回たまると、その面談対象者は、例えば、面談依頼、面談受諾その他の行動が３ヶ月間できなくなる。評価「２」以下が２回たまった時点で、その面談対象者の面談対象者端末３００に警告メールが送信される。また、警告ボタンを設けておき、対応がひどい面談対象者が現れたときは、警告ボタンをクリックすることで管理者に通知することができる。
【０１５２】
また、面談終了後に評価を行わないと、所定の期間（例えば、１日）が経過するごとに、評価を行うべき面談対象者の面談対象者端末３００に評価依頼の通知メールが送信される。
【０１５３】
〔提案依頼〕
面談対象者は、提案依頼を行う場合、ログイン後のトップページにおいて検索条件のいずれかを指定し、ボタン５２０をクリックする。そうすると、検索条件に該当するレコードが企業情報テーブル４００のなかから検索される。また、検索条件を指定しないでボタン５０２をクリックすると、すべてのレコードが企業情報テーブル４００のなかから検索される。検索された企業は、上位数社が一覧で表示される。面談対象者は、提案依頼を行う企業をチェックボックス５２２で選択し、ボタン５２６をクリックする。
【０１５４】
図１７は、提案依頼を行うページを示す画面である。
ボタン５２６がクリックされると、図１７に示すように、提案依頼を行うページが表示される。
【０１５５】
提案依頼を行うページは、縦２段に区分されている。
提案依頼を行うページの第１段目には、提案依頼の際に用いる文書のタイトルを入力するテキストボックス６２０と、提案依頼の際に用いる文書の内容を入力するテキストボックス６２２と、提案依頼の際に添付するファイルを参照するボタン６２４と、添付ファイルのパスおよび名称を表示するテキストボックス６２６と、提案依頼の応答期限を指定するドロップダウンリスト６２８と、提案依頼を実行するボタン６３０とが表示される。
【０１５６】
提案依頼を行うページの第２段目には、提案依頼の対象として選択した企業の名称、面談対象者の登録の有無およびチェックボックス６３２が表示される。ここでも企業の名称は一部しか表示されないかまったく表示されない。面談対象者は、チェックボックス６３２からチェックを外すことで、一旦選択した企業を非選択とすることができる。
【０１５７】
面談対象者がボタン６２４をクリックし、自己の面談対象者端末３００に格納されているファイルを参照すると、提案依頼の際にそのファイルが添付される。添付ファイルは、面談支援サーバ１００にアップロードされ保存されるが、例えば、提案依頼後所定日数（例えば、３日）が経過すると、面談支援サーバ１００から削除される。
【０１５８】
面談対象者がボタン６３０をクリックすると、面談支援サーバ１００により提案ＩＤが自動的に付与され、提案依頼情報テーブル４１６に新たなレコードが登録される。提案依頼先対応情報テーブル４１８には、「登録済」の企業についてはその企業に属する面談対象者のユーザＩＤを含むレコードが登録され、「未登録」の企業についてはその企業の企業ＩＤを含むレコードが登録される。提案依頼が行われると、管理者がコントロールパネル（後述）上からその内容を確認することができる。管理者が内容に不備がないことを確認し、承認を行うと、相手方（その提案依頼について選択された面談対象者）に対して提案依頼が行われる。そして、「登録済」の企業については、その企業に属する面談対象者の面談対象者端末３００に提案依頼の通知メールが送信される。これに対し、「未登録」の企業については、その企業に対する提案依頼が保留される。その後、提案依頼が保留されている「未登録」の企業に属する登録希望者が面談対象者として登録された場合は、面談依頼の応答期限内に限り、その面談対象者の面談対象者端末３００に提案依頼の通知メールが送信される。
【０１５９】
提案依頼を受けると、ログイン後のトップページにおいてその旨のメッセージが表示されるので、面談対象者は、他の企業に属する面談対象者から提案依頼を受けたことが分かる。その後は、提案の内容を見て面談を希望する場合は、上記同様に面談依頼を行えばよい。
【０１６０】
〔コントロールパネル〕
図１８は、コントロールパネルのページを示す画面である。
管理者が管理を行う場合、管理者端末２００では、ＷＷＷブラウザ等により面談支援サーバ１００にアクセスすると、図１８に示すように、コントロールパネルのページが表示される。管理者は、コントロールパネルのページで各種の管理を行うことができる。
【０１６１】
コントロールパネルのページには、ログインの履歴を表示するボタン６３４と、面談依頼の一覧を表示するボタン６３６と、面談受諾の一覧を表示するボタン６３８と、イベントの履歴を表示するボタン６４０と、ポイントの換金依頼の一覧を表示するボタン６４２と、会員の一覧を表示するボタン６４４と、登録リクエストの一覧を表示するボタン６４６と、ＣＳＶデータをアップロードするボタン６４８と、提案依頼の一覧を表示するボタン６５０とが表示される。
【０１６２】
ボタン６３４をクリックすると、イベント情報テーブル４２２のなかからイベント情報が検索され、面談対象者がログインした履歴が表示される。
【０１６３】
ボタン６３６をクリックすると、面談依頼情報テーブル４１０のなかから面談依頼情報が検索され、面談希望者が面談依頼を行った企業の一覧が表示される。
【０１６４】
ボタン６３８をクリックすると、面談受諾情報テーブル４１４のなかから面談受諾情報が検索され、面談希望者が面談依頼を行った企業のうち面談受諾を得られた企業の一覧が表示される。
【０１６５】
ボタン６４０をクリックすると、イベント情報テーブル４２２のなかからイベント情報が検索され、面談依頼、面談受諾、面談成立、ポイント消化、ポイント購入、ポイント取得その他のイベントの履歴が表示される。
【０１６６】
ボタン６４２をクリックすると、ポイント情報テーブル４０６のなかからポイント情報が検索され、面談対象者が行ったポイントの換金依頼の一覧が表示される。
【０１６７】
ボタン６４４をクリックすると、面談対象者情報テーブル４０２のなかから面談対象者情報が検索され、行動ができない休止中の面談対象者の一覧、警告ボタンにより警告を受けた面談対象者の一覧、提案依頼を行っている面談対象者の一覧、または新規登録された面談対象者の一覧が表示される。一覧に表示された面談対象者には、文書およびファイルを送信することができる。また、管理者は、新規登録の内容を確認し、承認するか否かを入力することができる。そして、管理者から承認が得られた場合のみ、ログインに必要なユーザＩＤおよびパスワードを記載したメールが登録希望者端末に送信される。
【０１６８】
ボタン６４６をクリックすると、面談対象者が登録をリクエストした企業の一覧が表示される。
【０１６９】
ボタン６４８をクリックすると、新規登録と同様の項目でＣＳＶデータをアップロードすることができる。重複チェックも行われる。
【０１７０】
ボタン６５０をクリックすると、提案依頼情報テーブル４１６のなかから提案依頼情報が検索され、面談対象者が提案依頼を行った企業の一覧が表示される。管理者は、提案依頼の内容を確認し、承認するか否かを入力することができる。そして、管理者から承認が得られた場合のみ、相手方（その提案依頼について選択された面談対象者）に対して提案依頼が行われる。
【０１７１】
〔その他〕
ログイン後のトップページにおいてボタン５４４をクリックすると、自己が属する企業の企業情報および自己の面談対象者情報を変更することができる。
【０１７２】
ログイン後のトップページにおいてボタン５４６をクリックすると、自己のユーザＩＤを含むレコードがイベント情報テーブル４２２のなかから検索され、面談依頼、面談受諾、面談成立、ポイント消化、ポイント購入、ポイント取得その他のイベントの履歴が表示される。
【０１７３】
ログイン後のトップページにおいてボタン５４８をクリックすると、面談依頼の際に用いる文書のテンプレートを作成または更新することができる。テンプレートを作成すると、面談依頼テンプレートテーブル４０８に新たなレコードが登録される。また、テンプレートを更新すると、面談依頼テンプレートテーブル４０８の該当レコードが更新される。また、面談依頼時に添付するファイルを面談支援サーバ１００にあらかじめアップロードしておくことにより、面談依頼時にファイルを選択することができる。
【０１７４】
ログイン後のトップページにおいてボタン５５４をクリックすると、管理者端末２００に対して企業の登録をリクエストすることができる。企業の名称およびＵＲＬを入力し、リクエストボタンをクリックすると、企業の名称およびＵＲＬを示す登録リクエストメールが管理者端末２００に送信される。管理者は、登録リクエストメールの内容を見て、登録リクエストのあった企業の企業情報を企業情報テーブル４００に登録する。
【０１７５】
ログイン後のトップページにおいてボタン５５６をクリックすると、退会することができる。退会をすると、所有するポイント数が「０」となるので、退会に先立って確認画面が表示される。
【０１７６】
ログイン後のトップページにおいてボタン５３８をクリックすると、他の企業に対してこのサイトを紹介するメールを送信することができる。そして、紹介を受けた企業に属する登録希望者が面談対象者として登録された場合、紹介者である面談対象者に対しては、現在のポイント数に所定のポイント数（例えば、１０００ポイント）が加算される。
【０１７７】
このようにして、本実施の形態では、面談支援サーバ１００は、面談希望者が希望する企業の条件を入力したときは、入力した希望に適合する企業を検索し、検索された企業のなかから１または複数の企業を面談希望者に選択させ、選択された企業に属する面談対象者に対して面談依頼を行い、面談依頼に応じて面談受諾を入力したときは、面談受諾を得た面談希望者と、その面談受諾を行った面談受諾者との面談の機会を設定し、面談希望者が依頼した面談の機会が設定された場合は、その面談希望者が所有するポイントを減少させ、面談受諾者が面談希望者の評価を行った場合は、その面談受諾者が所有するポイントを増加させる。
【０１７８】
これにより、面談希望者が依頼した面談の機会が設定された場合は、その面談希望者が所有するポイントが減少するのに対し、面談受諾者が受諾した面談の機会が設定された場合でかつ面談希望者の評価を行った場合は、その面談受諾者が所有するポイントが増加するので、「面談を希望する場合は他者からの面談依頼も受け入れる」という動機づけが形成される。したがって、相互扶助により企業間の面談の機会が増えることが期待できるので、従来に比して、商取引の機会を向上することができる。
【０１７９】
さらに、本実施の形態では、面談支援サーバ１００は、選択された企業に属する面談対象者の面談対象者情報が面談対象者情報テーブル４０２に登録されていない場合は、その面談対象者への面談依頼を保留し、面談依頼が保留されている面談対象者の面談対象者情報が面談対象者情報テーブル４０２に登録された場合は、その面談対象者に対して面談依頼を行う。
【０１８０】
これにより、面談希望者は、面談対象者が登録されていない企業を選択して面談依頼を行うことができ、その後、その企業に属する面談対象者が登録されると、その面談対象者に面談依頼が行われるので、面談対象者が登録されていない企業であっても面談の機会を円滑に設定することができる。
【０１８１】
さらに、本実施の形態では、面談支援サーバ１００は、企業の名称およびドメインを入力したときは、企業情報テーブル４００の企業情報に基づいて、入力した名称およびドメインに適合する企業を検索し、検索された企業のなかからいずれかを登録希望者に選択させ、面談対象者情報を入力したときは、入力した面談対象者情報を、選択された企業の企業情報と対応づけて面談対象者情報テーブル４０２に登録する。
【０１８２】
これにより、登録希望者は、自己が属する企業の名称およびドメインを入力し、企業を選択するだけで、自己が属する企業と対応づけて登録を受けることができるので、登録作業が容易である。また、企業の名称およびドメインという比較的ユニークな識別情報を用いて登録を行うので、間違いの少ない登録を行うことができる。
【０１８３】
さらに、本実施の形態では、面談支援サーバ１００は、面談受諾を行った面談受諾者が属する企業と、同一の面談依頼についてそれよりも前に入力した面談受諾を行った面談受諾者が属する企業とが同一である場合は、後に面談受諾を行った面談受諾者に対して、重複面談が行われる可能性がある旨の警告メッセージを表示する。
【０１８４】
これにより、警告メッセージにより同一企業に属する複数の面談対象者との面談が行われる可能性があることを把握することができるので、重複面談を防止することができる。
【０１８５】
さらに、本実施の形態では、面談支援サーバ１００は、面談希望者または面談受諾者から面談の相手方である面談対象者の評価を入力し、評価「２」以下が合計で３回たまった場合は、面談依頼、面談受諾その他の行動を所定期間禁止する。
【０１８６】
これにより、面談希望者または面談受諾者が本来の目的とは異なる目的（例えば、不正の目的）で面談を依頼したり面談を受諾したりすることを防止することができる。
【０１８７】
なお、上記実施の形態においては、企業情報または面談対象者情報の更新を促すことについて説明しなかったが、例えば、所定期間（例えば、半年）ごとに、企業情報または面談対象者情報に変更が生じたと判定された場合は、企業情報または面談対象者情報の更新を促すメールを該当の面談対象者端末３００に送信してもよい。更新は、その企業に属する面談対象者ならば誰でもできる。ただし、その企業に属するすべての面談対象者にメールが送信される。
【０１８８】
また、上記実施の形態においては、新規登録時に口座情報を入力するように構成したが、これに限らず、ポイントの購入時や換金時に口座情報を入力するように構成してもよい。振込先の設定についても、３箇所に限らず、１箇所または２箇所でもよいし、４箇所以上でもよい。
【０１８９】
また、上記実施の形態においては、面談希望者が依頼した面談の機会が設定された場合は、その面談希望者が所有するポイントを減少させるように構成したが、これに限らず、面談希望者が面談依頼を行った場合、または面談希望者が面談受諾を得た場合は、その面談希望者が所有するポイントを減少させるように構成してもよい。
【０１９０】
また、上記実施の形態においては、面談受諾者が受諾した面談の機会が設定された場合でかつ面談希望者の評価を行った場合は、その面談受諾者が所有するポイントを増加させるように構成したが、これに限らず、面談対象者が面談依頼を受けた場合、または面談対象者が面談受諾を行った場合は、その面談対象者が所有するポイントを増加させるように構成してもよい。
【０１９１】
また、上記実施の形態においては、面談受諾を行った面談受諾者が属する企業と、同一の面談依頼についてそれよりも前に入力した面談受諾を行った面談受諾者が属する企業とが同一である場合は、後に面談受諾を行った面談受諾者に対して警告メッセージを表示するように構成したが、先に面談受諾を行った面談受諾者に対して警告メッセージを表示するように構成してもよいし、面談希望者に対して警告メッセージを表示するように構成してもよい。
【０１９２】
また、上記実施の形態においては、例えば、会った人と紹介人を、ビジュアルで表示しておくこともできる。これにより、人脈を広げたいと思う人から紹介を増やす効果がある。サイト上で、どの人が今一番人脈ランクが高いのか紹介される。紹介するときに、サイト上から個別に送れるほかに、ＵＲＬを吐き出し、ブログなどに掲載することもできる。具体的な企業の名称を一覧にして、紹介を促す「人脈の庭」はレベルの高い人が大きくなる。「人脈の庭」は共有ができる。登録されている人の「人脈の庭」も見ることができる。ただし、面談対象者情報は表示されない。相手の「人脈の庭」にいる人を名指しで、紹介して欲しいと頼むことができる。相手にメールを送り、許諾を得られれば直接メールを送ることもできる。そのときに双方の関係（面談履歴）と評価が表示される。そこから先は、上記実施の形態のように、面談依頼からの流れとなる。紹介者には、所定のポイント（例えば、１０００ポイント）が支払われる。面談依頼の際に、「人脈の庭」にいる人の知り合いに当該企業が入っている場合にはそれが表示される。
【０１９３】
また、上記実施の形態においては、例えば、この企業からのメールは受け取らない機能を設けてもよい。一度面談をして、これはないと思った企業に対して、この企業からのメールは今後受け取らないという機能である。
【０１９４】
また、上記実施の形態においては、例えば、アポイントメントの確度を調整できる機能を設けてもよい。面談してもよいという場合は、その理由を書かなければならない。同じように面談しないという場合は、その理由を書かなければならない。
【０１９５】
また、上記実施の形態においては、例えば、面談依頼を行う場合にもポイントを必要としてもよい。やたらと宣伝メールを送り、面談許諾があったにもかかわらず、面談をしないという使い方を防ぐことが狙いである。これに絡んで、面談依頼を連続で拒否すると、ペナルティーを与えてもよい。面談依頼には、ポイントが必要（例えば、企業数×２００ポイント）だが、消化はされない。面談受諾を受けた場合に消化される（１企業あたり２００ポイント）。面談依頼を受けた面談対象者が応答（面談受諾または面談拒否）を行うと、その面談対象者は、所定のポイント（例えば、１００ポイント）を取得できるようにすることも可能である。つまり、面談依頼にも実際の面談にもポイントが必要となる。たとえ面談が実施されなくても、市場調査ができることにメリットを感じてもらうことができる。また、応答にポイントを付与することで、たとえ面談拒否でも応答を促すことができる。そして、例えば、面談拒否理由を円グラフとコメント一覧で表示する。
【０１９６】
また、上記実施の形態においては、例えば、面談依頼に加え、アンケート依頼をできる機能を設けてもよい。面談依頼は面談が目的であるが、アンケート依頼はアンケートが目的となる。アンケートフォームを自動的に作成する機能を設けてもよい。アンケート依頼には、ポイントが必要（例えば、企業数×２００ポイント）だが、消化はされない。アンケート受諾を受けた場合に消化される（１企業あたり２００ポイント）。
【０１９７】
また、上記実施の形態においては、例えば、面談依頼に加え、パートナー企業または人材探しをできる機能を設けてもよい。パートナー企業または人材探しの対象者になりたい人は、例えば、自分で対象フラグを立てる（デフォルトでは立てない）。検索にてこのフラグが立っている人の検索ができる。フラグを立てた人は、詳細情報（詳細な経歴やＰＲポイント）を記入できる。
【０１９８】
また、上記実施の形態においては、インターネット１９９からなるネットワークシステムに適用した場合について説明したが、これに限らず、例えば、インターネット１９９と同一方式により通信を行ういわゆるイントラネットに適用してもよい。もちろん、インターネット１９９と同一方式により通信を行うネットワークに限らず、任意の通信方式のネットワークに適用することができる。
【符号の説明】
【０１９９】
１００…面談支援サーバ、  ３０…ＣＰＵ、  ３２…ＲＯＭ、  ３４…ＲＡＭ、  ３８…Ｉ／Ｆ、  ４０…入力装置、  ４２…記憶装置、  ４４…表示装置、  ２００…管理者端末、  ３００…面談対象者端末、  ４００…企業情報テーブル、  ４０２…面談対象者情報テーブル、  ４０４…口座情報テーブル、  ４０６…ポイント情報テーブル、  ４０８…面談依頼テンプレートテーブル、  ４１０…面談依頼情報テーブル、  ４１２…面談依頼先対応情報テーブル、  ４１４…面談受諾情報テーブル、  ４１６…提案依頼情報テーブル、  ４１８…提案依頼先対応情報テーブル、  ４２０…評価情報テーブル、  ４２２…イベント情報テーブル
【要約】
【課題】  他者との面談の機会を向上するのに好適な面談支援装置を提供する。
【解決手段】  面談希望者が希望する企業の条件を入力したときは、その希望に適合する企業を検索し、検索された企業のなかから１または複数の企業を面談希望者に選択させ、選択された企業に属する面談対象者に対して面談依頼を行う。面談依頼に応じて面談受諾を入力したときは、面談受諾を得た面談希望者と、その面談受諾を行った面談受諾者との面談の機会を設定する。そして、面談希望者が依頼した面談の機会が設定された場合は、その面談希望者が所有するポイントを減少させ、面談受諾者が面談希望者の評価を行った場合は、その面談受諾者が所有するポイントを増加させる。
【選択図】  図１０【図１】
0004817470.tif 000002
【図２】
0004817470.tif 000003
【図３】
0004817470.tif 000004
【図４】
0004817470.tif 000005
【図５】
0004817470.tif 000006
【図６】
0004817470.tif 000007
【図７】
0004817470.tif 000008
【図８】
0004817470.tif 000009
【図９】
0004817470.tif 000010
【図１０】
0004817470.tif 000011
【図１１】
0004817470.tif 000012
【図１２】
0004817470.tif 000013
【図１３】
0004817470.tif 000014
【図１４】
0004817470.tif 000015
【図１５】
0004817470.tif 000016
【図１６】
0004817470.tif 000017
【図１７】
0004817470.tif 000018
【図１８】
0004817470.tif 000019